(57)【要約】【課題】メンテナンス性を向上させつつ、耐用年数を向上させることができるオゾン発生装置１の提供を目的とする。【解決手段】筐体２の内部にオゾン発生部１６と電源部２１とが配置されるオゾン発生装置１において、筐体２は、仕切り板７によって上下に分割され、上側にオゾン発生部１６が配置されるオゾン発生室９が構成され、下側に電源部２１が配置される電源室８が構成され、筐体２は、オゾン発生室９を構成する上側面２ｂと仕切り板７よりも上側の横側面である右側面２ｄ及び左側面２ｅがカバー１０として一体的に取り外し可能に構成される。【選択図】図１
2014005166.tif 000002
【特許請求の範囲】
【請求項１】
筐体の内部にオゾン発生部と電源部とが配置されるオゾン発生装置において、
前記筐体は、仕切り板によって上下に分割され、上側に前記オゾン発生部が配置されるオゾン発生室が構成され、下側に前記電源部が配置される電源室が構成されるオゾン発生装置。
【請求項２】
前記筐体は、前記オゾン発生室を構成する上側面と前記仕切り板よりも上側の横側面とが一体的に取り外し可能に構成される請求項１に記載のオゾン発生装置。
【請求項３】
前記オゾン発生室は、
送風ファンが配置され、前記上側面に前記送風ファンによって前記筐体の外部から空気を吸引可能な第一吸入口が形成され、前記送風ファンによって前記筐体の外部に空気を排出可能な第一排出口が前記横側面に形成される請求項２に記載のオゾン発生装置。
【請求項４】
前記オゾン発生室は、
前記送風ファンよって吸引された空気を前記第一排出口に案内するダクトが配置され、当該ダクトの内部に前記オゾン発生部が配置される請求項３に記載のオゾン発生装置。
【請求項５】
前記電源室は、
冷却ファンが配置され、前記冷却ファンによって前記筐体の外部から空気を吸引可能な第二吸入口が前記仕切り板よりも下側の一の横側面に形成され、前記第二吸引口にオゾン分解触媒が配置され、前記冷却ファンによって前記筐体の外部に空気を排出可能な第二排出口が前記横側面に対向する他の横側面に形成される請求項１から請求項４のいずれか一項に記載のオゾン発生装置。
【請求項６】
前記電源室は、
前記冷却ファンよって供給される空気の流れ方向に対して所定の角度になるように前記電源部が配置される請求項５に記載のオゾン発生装置。
【発明の詳細な説明】
【技術分野】
【０００１】
本発明は、オゾン発生装置に関する。特に、携帯型のオゾン発生装置に関する。
【背景技術】
【０００２】
従来、オゾン発生装置は、筐体内にオゾンを発生させるための電極を備えた反応器等（オゾン発生部）と当該電極に印加する高電圧電流を発生させる高圧発生器やこれらを制御する制御装置（電源部）が配置されたものが知られている。このようなオゾン発生装置は、電極に高電圧の電流を印加することで放電を発生させる。そして、発生させた放電により空気中の酸素分子を解離してオゾンを発生させるものである。例えば特許文献１の如くである。
【０００３】
特許文献１に記載のオゾン発生装置は、電極に帯電した塵埃が付着するため定期的にオゾン発生部の清掃等のメンテナンスが必要である。しかし、筐体内に配置されている電源部が障害となりオゾン発生部の清掃が十分に出来ない箇所が生じる。このため、オゾン発生装置のメンテナンス性が低下する点で不利であった。また、当該オゾン発生装置は、電源部が筐体内において腐食性の高いオゾンに曝露される。つまり、オゾンによって電源部の部品が腐食されて早期の劣化や破損が生じる可能性がある。このため、オゾン発生装置の耐用年数が低下する点で不利であった。
【先行技術文献】
【特許文献】
【０００４】
【特許文献１】特開平１０−２５１０３号公報
【発明の概要】
【発明が解決しようとする課題】
【０００５】
本発明の目的は、メンテナンス性を向上させつつ、耐用年数を向上させることができるオゾン発生装置の提供を目的とする。
【課題を解決するための手段】
【０００６】
本発明の解決しようとする課題は以上の如くであり、次にこの課題を解決するための手段を説明する。
【０００７】
即ち、請求項１においては、筐体の内部にオゾン発生部と電源部とが配置されるオゾン発生装置において、前記筐体は、仕切り板によって上下に分割され、上側に前記オゾン発生部が配置されるオゾン発生室が構成され、下側に前記電源部が配置される電源室が構成されるものである。
【０００８】
請求項２においては、前記筐体は、前記オゾン発生室を構成する上側面と前記仕切り板よりも上側の横側面とが一体的に取り外し可能に構成されるものである。
【０００９】
請求項３においては、前記オゾン発生室は、送風ファンが配置され、前記上側面に前記送風ファンによって前記筐体の外部から空気を吸引可能な第一吸入口が形成され、前記送風ファンによって前記筐体の外部に空気を排出可能な第一排出口が前記横側面に形成されるものである。
【００１０】
請求項４においては、前記オゾン発生室は、前記送風ファンによって吸引された空気を前記第一排出口に案内するダクトが配置され、当該ダクトの内部に前記オゾン発生部が配置されるものである。
【００１１】
請求項５においては、前記電源室は、オゾン分解触媒を有する冷却ファンが配置され、前記冷却ファンによって前記筐体の外部から空気を吸引可能な第二吸入口が前記仕切り板よりも下側の一の横側面に形成されるとともに、前記冷却ファンによって前記筐体の外部に空気を排出可能な第二排出口が前記横側面に対向する他の横側面に形成されるものである。
【００１２】
請求項６においては、前記電源室は、前記冷却ファンよって供給される空気の流れ方向に対して所定の角度になるように前記電源部が配置されるものである。
【発明の効果】
【００１３】
本発明の効果として、以下に示すような効果を奏する。
【００１４】
請求項１においては、電源部がオゾン発生部の清掃の障害になることがない。また、仕切り板によってオゾン発生室から電源室にオゾンが流入することがない。これにより、オゾン発生装置のメンテナンス性を向上させつつ、耐用年数を向上させることができる。
【００１５】
請求項２においては、オゾン発生室を構成する筐体の一部が容易に取り外せるのでオゾン発生室に配置されるオゾン発生部の清掃が容易になる。これにより、オゾン発生装置のメンテナンス性を向上させつつ、耐用年数を向上させることができる。
【００１６】
請求項３においては、複雑な機構を用いることなくオゾン発生装置の周囲の空気の対流を発生させてオゾンを広範囲に拡散することで消臭殺菌効果を向上させる。これにより、オゾン発生装置のメンテナンス性を向上させつつ、耐用年数を向上させることができる。
【００１７】
請求項４においては、複雑な機構を用いることなくオゾン発生室内におけるオゾンの拡散が抑制されると共に筐体の外部にオゾンが効率よく排出される。これにより、オゾン発生装置のメンテナンス性を向上させつつ、耐用年数を向上させることができる。
【００１８】
請求項５においては、オゾン分解触媒によりオゾンが分解されることで電源室の内部のオゾン濃度の上昇が抑制される。また、電源部が強制的に冷却されるとともに電源室における空気の滞留が抑制される。これにより、オゾン発生装置のメンテナンス性を向上させつつ、耐用年数を向上させることができる。
【００１９】
請求項６においては、電源室に配置される電源部が効率的に冷却される。これにより、オゾン発生装置のメンテナンス性を向上させつつ、耐用年数を向上させることができる。
【図面の簡単な説明】
【００２０】
【図１】本発明の一実施形態に係るオゾン発生装置の全体的な構成を示す正面図。
【図２】本発明の一実施形態に係るオゾン発生装置の斜視図。
【図３】本発明の一実施形態に係るオゾン発生装置の右側面図。
【図４】本発明の一実施形態に係るオゾン発生装置の左側面図。
【図５】本発明の一実施形態に係るオゾン発生装置の図４におけるＡ断面図。
【図６】本発明の一実施形態に係るオゾン発生装置の図４におけるＢ断面図。
【図７】本発明の一実施形態に係るオゾン発生装置の図４におけるＣ断面図。
【発明を実施するための形態】
【００２１】
まず、図１から図６を用いて、本発明の一実施形態に係るオゾン発生装置１について説明する。
【００２２】
オゾン発生装置１は、主として筐体２、送風ファン１５、オゾン発生部１６、ダクト１８、オゾン分解触媒１９、冷却ファン２０、電源部２１、を具備する。
【００２３】
図１に示すように、筐体２は、オゾン発生装置１を構成する主な部材であり、オゾン発生部１６や電源部２１が収められる容器である。筐体２は、板材によって略直方体状に形成される。筐体２の前側面２ａ（図１における紙面手前側）には、オゾン発生装置１を操作するための操作パネル３が設けられる。また、筐体２の前側面２ａの上方には、オゾンの発生を示す警告灯４が設けられる。筐体２の上側面２ｂには、オゾン発生装置１を移動させる際に手で把持するための把持部５が設けられる。筐体２の下側面２ｃには、ゴム材等から構成される脚部６が四隅に設けられる。
【００２４】
筐体２は、内部に仕切り板７が水平に設けられて上下に分割される。仕切り板７よりも下側の空間は、後述の電源部２１（図６参照）が配置される電源室８として構成される。仕切り板７よりも上側の空間は、後述のオゾン発生部１６（図５参照）が配置されるオゾン発生室９として構成される。筐体２内の電源室８とオゾン発生室９とは、仕切り板７によって完全に分離されてオゾン発生室９の内部の空気が電源室８の内部に流入しないように構成される。
【００２５】
図２に示すように、筐体２は、仕切り板７よりも上側の横側面である右側面２ｄ及び左側面２ｅと上側面２ｂとが一体的に形成される。つまり、筐体２の仕切り板７よりも上側の右側面２ｄ及び左側面２ｅと上側面２ｂとは、オゾン発生室９を覆うカバー１０として一体的に構成される。また、カバー１０は、筐体２から着脱自在に構成される。
【００２６】
図２及び図３に示すように、筐体２の上側面２ｂには、筐体２の外部からオゾン発生室９に空気を取り入れるための第一吸引口１１が形成される。第一吸引口１１には、粉塵除去用のフィルター１１ａが設けられる（図７参照）。筐体２の右側面２ｄ（図３における紙面手前側）には、オゾン発生室９から筐体２の外部にオゾンが含まれる空気を排出する第一排出口１２が形成される。つまり、オゾン発生室９は、カバー１０の上側面２ｂに第一吸引口１１が形成され、右側面２ｄに第一排出口１２が形成される。
【００２７】
図３及び図４に示すように、筐体２の仕切り板７よりも下側の横側面である左側面２ｆ（図４における紙面手前側）には、筐体２の外部から電源室８に空気を取り入れるための第二吸引口１３が形成される。筐体２の仕切り板７よりも下側の横側面である右側面２ｇ（図３における紙面手前側）には、電源室８から筐体２の外部に空気を排出する第二排出口１４が形成される。つまり、電源室８は、対向する左右の両側面に第二吸引口１３と第二排出口１４とが形成される。
【００２８】
図２及び図５に示すように、送風ファン１５は、筐体２の外部からオゾン発生室９に空気を取り入れ、オゾン発生室９から筐体２の外部に空気を排出する。送風ファン１５は、シロッコファンから構成される。送風ファン１５は、空気の吸引部１５ａが第一吸引口１１に対向するようにオゾン発生室９に配置される。また、送風ファン１５は、排出部１５ｂが第一排出口１２に向くように配置される。つまり、送風ファン１５は、オゾン発生装置１の上方の第一吸引口１１から空気を吸引し、オゾン発生装置１の右方の第一排出口１２からオゾンを含む空気を排出可能に構成される。なお、本実施形態において、送風ファン１５をシロッコファンとしたがこれに限定するものではなく、筐体２の外部からオゾン発生室９に空気を取り込み、オゾン発生室９から筐体２の外部へ空気を排出することができるものであればよい。
【００２９】
オゾン発生部１６は、オゾンを発生させるものである。オゾン発生部１６は、主に二本の筒状の反応器１７から構成される。オゾン発生部１６は、反応器１７の一側端が第一排出口１２に近接して対向するようにオゾン発生室９に着脱自在に配置される。また、オゾン発生部１６は、反応器１７の他側端が送風ファン１５の排出部１５ｂに向くように配置される。なお、本実施形態において、オゾン発生部１６を二本の反応器１７から構成したがこれに限定するものではなく、紫外線照射灯によるものでもよい。
【００３０】
ダクト１８は、送風ファン１５からの空気を案内する。ダクト１８は、板状部材から構成され、一辺が開放された矩形状の断面に形成される。ダクト１８は、一側端が第一排出口１２に近接して対向するようにオゾン発生室９に配置される。また、ダクト１８は、他側端が送風ファン１５の排出部１５ｂに近接して配置される。この際、ダクト１８は、開放部分を下方にむけてオゾン発生部１６の反応器１７に被せるようにして仕切り板７に着脱自在に固定される。すなわち、ダクト１８は、その内部にオゾン発生部１６が配置され、送風ファン１５の排出部１５ｂから排出される空気を第一排出口１２まで案内する。
【００３１】
図６に示すように、オゾン分解触媒１９は、オゾンを分解するものである。オゾン分解触媒１９は、セラミック等の無機材料から構成される。オゾン分解触媒１９は、第二吸引口１３に密接するようにして配置される。これにより、第二吸引口１３から電源室８に取り入れられる空気は、オゾン分解触媒１９を通過するように構成される。なお、本実施形態において、オゾン分解触媒１９をセラミック等の無機材料から構成したがこれに限定するものではなく、オゾンを分解する触媒であればよい。
【００３２】
冷却ファン２０は、筐体２の外部から電源室８に空気を取り入れ、電源室８から筐体２の外部に空気を排出する。冷却ファン２０は、空気の吸引部２０ａがオゾン分解触媒１９に密接するようにして電源室８に配置される。また、冷却ファン２０は、排出部２０ｂが第二排出口１４に向くように配置される。これにより、冷却ファン２０は、電源室８の左方の第二吸引口１３からオゾン分解触媒１９を介して空気を電源室８の内部に吸引し、電源室８の右方に向かって空気を送風可能に構成される。冷却ファン２０によって送風された空気は、第二排出口１４から排出されるように構成される。なお、本実施形態において、冷却ファン２０は、筐体２の外部から電源室８に空気を取り込み、電源室８から筐体２の外部へ空気を排出することができるものであればよい。
【００３３】
電源部２１は、オゾン発生部１６の制御や電源を供給する。電源部２１は、主にオゾン発生部１６及び電源部２１を制御する制御装置２２、高圧電流を発生させる高圧発生器２３、外部電源からの電力を高圧発生器２３に供給する電源装置２４を具備する。
【００３４】
制御装置２２は、板状の基盤から構成される。制御装置２２は、電源室８の内部であって筐体２の前側面２ａに設けられる操作パネル３の裏側に配置される。高圧発生器２３は、矩形状の基材に各種の電源用部品が配置されて構成される。高圧発生器２３は、一側端が冷却ファン２０の排出部２０ｂに近接して電源室８に配置される。また、高圧発生器２３は、他側端が第二排出口１４に向くように配置される。この際、高圧発生器２３は、冷却ファン２０によって第二吸引口１３から吸引される空気の流れ方向に対して所定の角度θになるように配置される。電源装置２４は、矩形状の基材に各種の電源用部品が配置されて構成される。電源装置２４は、第二排出口１４の近傍に配置される。なお、本実施形態において、高圧発生器２３と電源装置２４とはそれぞれ独立した基材に構成されているが、これに限定するものではなく、高圧発生器２３と電源装置２４とを一体的に構成してもよい。
【００３５】
以下では、図２を用いて、上述の如く構成されるオゾン発生装置１のメンテナンスの態様について説明する。
【００３６】
図２に示すように、オゾン発生装置１において、オゾン発生部１６の反応器１７を清掃等する場合、オゾン発生室９を構成する筐体２のカバー１０を取り外す（図２における矢印方向）。これにより、オゾン発生室９の右側面２ｄ及び左側面２ｅと上側面２ｂとが一体的に取り外される。オゾン発生室９は電源室８の上側に構成されている。従って、オゾン発生室９の内部に配置される送風ファン１５及びダクト１８は、カバー１０を取り外すことで容易に露出させることができる。さらに、仕切り板７からダクト１８を取り外すことで反応器１７を露出させることができる。一方、電源部２１は、仕切り板７よりも下側の筐体２によって保護される。オゾン発生装置１は、カバー１０及びダクト１８を取り外した後にオゾン発生部１６のメンテナンスを行う。
【００３７】
以下では、図５から図７を用いて、本発明に係るオゾン発生装置１のオゾン発生室９内及び電源室８内の空気の流れの態様について説明する。
【００３８】
図５及び図７に示すように、オゾン発生室９には、送風ファン１５によって第一吸引口１１から筐体２の外部の空気が取り込まれる。取り込まれた空気は、送風ファン１５の排出部１５ｂ近傍に配置されるダクト１８に供給される。ダクト１８に供給された空気は、ダクト１８の内部に配置されるオゾン発生部１６からのオゾンが混合される。ダクト１８内でオゾンが混合された空気は、送風ファン１５の送風圧力によって第一排出口１２から排出される。
【００３９】
上述の通り、送風ファン１５によってオゾン発生室９に取り込まれた空気は、ダクト１８によって第一排出口１２まで案内されるのでオゾン発生室９の内部に空気が滞留することがない。さらに、オゾン発生部１６がダクト１８の内部に配置されていることで、送風ファン１５からの空気には、オゾンが効率よく混入され、当該空気がオゾン発生室９の内部に拡散することなく筐体２の外部に排出される。また、図７に示すように、オゾン発生装置１の上方から空気を吸引するとともにオゾン発生装置１の右方から排出することでオゾン発生装置１の周辺の空気に対流を発生させることができる。
【００４０】
図６及び図７に示すように、電源室８には、冷却ファン２０によって筐体２の外部の空気が第二吸引口１３を介して電源室８の内部に取り込まれる。電源室８の内部に取り込まれる空気は、オゾン分解触媒１９によってオゾンが除去される。取り込まれた空気は、冷却ファン２０の排出部２０ｂ近傍に配置される高圧発生器２３に向けて送られる。図６に示すように、空気は、流れ方向に対して所定の角度θ傾いて配置されている高圧発生器２３の短辺部分（図６における矢印ｘ）と長辺部分（図６における矢印ｙ）とに沿って流れて高圧発生器２３を冷却する。高圧発生器２３によって加熱された空気は、電源装置２４を通過して第二排出口１４から排出される。
【００４１】
上述の通り、冷却ファン２０によって電源室８に取り込まれた空気は、オゾンが除去されているので電源室８の内部を腐食させることがない。さらに、仕切り板７によって電源室８とオゾン発生室９とが分離されているので、オゾンを含んだ空気が電源室８に流入することがない。また、電源室８に取り込まれた空気は、高圧発生器２３の広い範囲に空気が送られるので高圧発生器２３が効率よく冷却される。あわせて、第二吸引口１３と第二排出口１４とが対向するように形成されているので、加熱された空気が滞留することなく電源室８の外部に排出される。
【００４２】
以上の如く、筐体２の内部にオゾン発生部１６と電源部２１とが配置されるオゾン発生装置１において、筐体２は、仕切り板７によって上下に分割され、上側にオゾン発生部１６が配置されるオゾン発生室９が構成され、下側に電源部２１が配置される電源室８が構成されるものである。
このように構成することにより、電源部２１がオゾン発生部１６の清掃の障害になることがない。また、仕切り板７によってオゾン発生室９から電源室８にオゾンが流入することがない。これにより、オゾン発生装置１のメンテナンス性を向上させつつ、耐用年数を向上させることができる。
【００４３】
また、筐体２は、オゾン発生室９を構成する上側面２ｂと仕切り板７よりも上側の横側面である右側面２ｄ及び左側面２ｅがカバー１０として一体的に取り外し可能に構成されるものである。
このように構成することにより、電源室８に配置される電源部２１が筐体２によって保護されると共にオゾン発生室９に配置されるオゾン発生部１６の清掃が容易になる。これにより、オゾン発生装置１のメンテナンス性を向上させつつ、耐用年数を向上させることができる。
【００４４】
また、オゾン発生室９は、送風ファン１５が配置され、上側面２ｂに送風ファン１５によって筐体２の外部から空気を吸引可能な第一吸入口が形成され、送風ファン１５によって筐体２の外部に空気を排出可能な第一排出口１２が横側面である右側面２ｄに形成されるものである。
このように構成することにより、複雑な機構を用いることなくオゾン発生装置１の周囲の空気の対流を発生させてオゾンを広範囲に拡散することで消臭殺菌効果を向上させる。これにより、オゾン発生装置１のメンテナンス性を向上させつつ、耐用年数を向上させることができる。
【００４５】
また、オゾン発生室９は、送風ファン１５よって吸引された空気を第一排出口１２に案内するダクト１８が配置され、当該ダクト１８の内部にオゾン発生部１６が配置されるものである。
このように構成することにより、複雑な機構を用いることなくオゾン発生室９内におけるオゾンの拡散が抑制されると共に筐体２の外部に効率よく排出される。これにより、オゾン発生装置１のメンテナンス性を向上させつつ、耐用年数を向上させることができる。
【００４６】
また、電源室８は、冷却ファン２０が配置され、冷却ファン２０によって筐体２の外部から空気を吸引可能な第二吸引口１３が仕切り板７よりも下側の一の横側面である左側面２ｆに形成され、第二吸引口１３にオゾン分解触媒１９が配置され、冷却ファン２０によって筐体２の外部に空気を排出可能な第二排出口１４が左側面２ｆに対向する他の横側面である右側面２ｇに形成されるものである。
このように構成することにより、オゾン分解触媒１９によりオゾンが分解されることで電源室８の内部のオゾン濃度の上昇が抑制される。また、電源部２１が強制的に冷却されるとともに電源室８における空気の滞留が抑制される。これにより、オゾン発生装置１のメンテナンス性を向上させつつ、耐用年数を向上させることができる。
【００４７】
また、電源室８は、冷却ファン２０よって供給される空気の流れ方向に対して所定の角度θになるように電源部２１が配置されるものである。
このように構成することにより、電源室８に配置される電源部２１が効率的に冷却される。これにより、オゾン発生装置１のメンテナンス性を向上させつつ、耐用年数を向上させることができる。
【符号の説明】
【００４８】
１  オゾン発生装置
２  筐体
７  仕切り板
８  電源室
９  オゾン発生室
１６  オゾン発生部
２１  電源部
【図１】
2014005166.tif 000003
【図２】
2014005166.tif 000004
【図３】
2014005166.tif 000005
【図４】
2014005166.tif 000006
【図５】
2014005166.tif 000007
【図６】
2014005166.tif 000008
【図７】
2014005166.tif 000009